(57)【要約】【課題】複数の移動枠を直進案内するレンズ鏡筒において、直進案内筒の型構成の複雑化、金型費用の高コスト化を招いていた。【解決手段】光軸方向に移動可能な第一の移動枠と第二の移動枠と、これらを直進案内する直進案内筒を備えるレンズ鏡筒であって、直進案内筒には第一の移動枠を直進案内する第一の直進溝と、第二の移動枠を直進案内する第二の直進溝があり、直進溝はそれぞれ半径方向外側の幅広部と半径方向内側の幅狭部から成る貫通溝で構成され、各移動枠には各直進溝に挿通する第一と第二の直進案内部が形成され、第一の直進案内部と第二の直進案内部はそれぞれ半径方向外側の幅広部と半径方向内側の幅狭部で構成され、第一の直進溝の幅広部と第一の直進案内部の幅広部が嵌合して第一の移動枠を直進案内し、第二の直進溝の幅狭部と第二の直進案内部の幅狭部が嵌合して第二の移動枠を直進案内することを特徴とする。【選択図】図１
2018189862.tif 000002
【特許請求の範囲】
【請求項１】
光軸方向に移動可能な第一の移動枠と第二の移動枠の少なくとも二つの移動枠と、前記少なくとも二つの移動枠を直進案内する直進案内筒を備えるレンズ鏡筒であって、
直進案内筒には第一の移動枠を直進案内する第一の直進溝と第二の移動枠を直進案内する第二の直進溝があり、
第一の直進溝と第二の直進溝はそれぞれ半径方向外側の幅広部と半径方向内側の幅狭部から成る貫通溝で構成され、
第一の移動枠には第一の直進溝に挿通する第一の直進案内部が形成され、
第二の移動枠には第二の直進溝に挿通する第二の直進案内部が形成され、
第一の直進案内部と第二の直進案内部はそれぞれ半径方向外側の幅広部と半径方向内側の幅狭部で構成され、
第一の直進溝の幅広部と第一の直進案内部の幅広部が嵌合して第一の移動枠を直進案内し、
第二の直進溝の幅狭部と第二の直進案内部の幅狭部が嵌合して第二の移動枠を直進案内することを特徴とするレンズ鏡筒。
【請求項２】
第一の直進溝と、第二の直進溝の位相が異なり、
光軸と直交する面内において、光軸と第一の直進溝の中心を結ぶ第一の直線と、光軸と第二の直進溝の中心を結ぶ第二の直線のなす角をΘ１として、第二の直進溝の幅広部を構成する壁のうち第一の直進溝に近い壁と、第二の直線のなす角をΘ２としたとき、
「Θ１＜Θ２」
となることを特徴とする請求項１に記載のレンズ鏡筒。
【請求項３】
第二の直進溝の幅狭部と幅広部の境界を挟んで、半径方向内側から外側にかけて第二の移動枠の直進案内部の幅広部と幅狭部の間にさらに幅の狭い形状を設けていることを特徴とする請求項１に記載のレンズ鏡筒。
【請求項４】
請求項１乃至請求項３の何れか一項に記載のレンズ鏡筒を有する撮像装置。
【請求項５】
カム溝と光軸に平行な溝を有する第一の筒と、
前記光軸に平行な溝に係合する直進ピンを備え沈胴位置と撮影可能な繰り出し位置の間を光軸方向に移動可能な第三の移動枠と、
前記カム溝に係合するカムフォロアピンを備え沈胴位置と撮影可能な繰り出し位置の間を前記カム溝の軌跡に従って光軸方向に移動可能な第四の移動枠とを備え、
カム溝の深さは光軸に平行な溝の深さと同一か、または光軸に平行な溝の深さよりも浅く、
カム溝と光軸に平行な溝は、前記直進ピンの沈胴位置よりも像面側で交差し、
前記交差点ではカム溝を形成する一対のテーパ面のうち少なくとも一方のテーパ面が前記光軸と平行な溝の少なくとも一部を塞ぐように残っており、
前記光軸と平行な溝に係合する直進ピンは組み立て時に前記一部残っているテーパ面を乗り越えながら交差点を通過することを特徴とするレンズ鏡筒。
【請求項６】
カム溝と光軸に平行な溝を有する第一の筒と、
前記光軸に平行な溝に係合する直進ピンを備え光軸方向に移動可能な第三の移動枠と、
前記カム溝に係合するカムフォロアピンを備え光軸方向に移動可能な第四の移動枠とを備え、
第四の移動枠は撮影可能な位置と撮影可能な位置よりも像面側の沈胴位置の間を前記カム溝の軌跡に従って光軸方向に移動可能で、
カム溝の深さは光軸に平行な溝の深さと同一か、または光軸に平行な溝の深さよりも浅く、
カム溝と光軸に平行な溝は、前記直進ピンの沈胴位置よりも像面側で交差し、
前記交差点ではカム溝を形成する一対のテーパ面のうち少なくとも一方のテーパ面が前記光軸と平行な溝と同一形状に切り欠かれており、
前記カム溝に係合するカムフォロアピンが交差点を通過するとき、第四の移動枠は沈胴位置と同じ位置であり、このとき第四の移動枠のカム溝からの脱落を防ぐ別の部材が有ることを特徴とするレンズ鏡筒。
【請求項７】
請求項５又は請求項６に記載のレンズ鏡筒を有する撮像装置。
【発明の詳細な説明】
【技術分野】
【０００１】
本発明は、沈胴繰り出し可能なレンズ鏡筒及び撮像装置に関する。
【背景技術】
【０００２】
撮像素子を保持する地板に対して固定され、かつ内周面にカム溝を備える固定筒と、固定筒の外周に配置され固定筒に対して光軸方向に移動せずに回転可能な回転筒と、回転筒とキー溝結合し回転筒と一体的に回転し、かつ外周にフォロアを備え固定筒内周面のカム溝に係合してカム軌跡に沿って光軸方向に移動する移動カム環と、固定筒に対してキー溝で直進規制され移動カム環と一体的に光軸方向に移動可能な直進案内筒、で構成された沈胴繰り出し可能なレンズ鏡筒が知られている（特許文献１）。
【０００３】
この種のレンズ鏡筒は、移動カム環の内外周に複数のカム溝が設けられ、例えば外周のカム溝に１群レンズを保持する１群筒がカム係合し、内周の複数のカム溝に２群レンズを保持する２群筒と絞りユニットがそれぞれカム係合する。
【０００４】
２群筒と絞りユニットは直進案内筒の内側に配置される。また移動カム環のカム溝に係合するフォロアピンが外周方向に伸び、フォロアピンの根元が直進案内筒に設けられた光軸と平行な貫通溝と嵌合して直進案内される。
【０００５】
また固定筒外周の回転筒にもカム溝が設けられ、３群レンズを保持する３群レンズホルダがカム係合する。３群レンズホルダは固定筒の内側に配置される。回転筒のカム溝に係合するフォロアピンが外周方向に伸び、フォロアピンの根元が固定筒に設けられた光軸と平行な貫通溝と嵌合して直進案内される。
【先行技術文献】
【特許文献】
【０００６】
【特許文献１】特開２００２−２７７７１１号公報
【発明の概要】
【発明が解決しようとする課題】
【０００７】
レンズ鏡筒に外力が加わると、フォロアピンがカム溝から脱落し撮像装置が故障する虞が有る。この問題に対し特許文献１では、直進案内筒の貫通溝を、内周側の幅狭部と、外周側の幅広部によって構成し、フォロアピンの根元もそれに合わせて幅狭部と幅広部を設ける構成が開示されている。フォロアピン根元の幅狭部は貫通溝の幅狭部に対して逃げており、フォロアピン根元部の幅広部が貫通溝の幅広部と嵌合して直進案内される。レンズ鏡筒に外力が加わった場合、フォロアピン根元の幅広部が、貫通溝の幅狭部に引っ掛かることで、フォロアピンがカム溝から脱落することを防止する。
【０００８】
このような形状の直進案内筒を金型で成型する樹脂材料によって構成する場合、貫通溝は外スライド駒によって形成する。貫通溝の幅広部とフォロアピン根元部の幅広部で嵌合し直進案内させるため、貫通溝の壁は光軸と貫通溝の中心を結ぶ線と平行に構成される。貫通溝の壁の方向は貫通溝ごとに異なるため、貫通溝の数だけ外スライド駒を設けることになる。
【０００９】
複数のレンズホルダや絞りユニットのような光学要素を、それぞれに対応した複数の貫通溝で直進案内する場合、貫通溝の本数が増える。したがって金型の外スライド駒の数が増え、金型の構成が複雑化し、コストがかさむという問題が有る。
【課題を解決するための手段】
【００１０】
上記の課題を解決するために、本発明に係るレンズ鏡筒は、
光軸方向に移動可能な第一の移動枠と第二の移動枠と、第一の移動枠と第二の移動枠を直進案内する直進案内筒を備えるレンズ鏡筒であって、直進案内筒には第一の移動枠を直進案内する第一の直進溝と、第二の移動枠を直進案内する第二の直進溝があり、第一の直進溝と第二の直進溝はそれぞれ半径方向外側の幅広部と半径方向内側の幅狭部から成る貫通溝で構成され、第一の移動枠には第一の直進溝に挿通する第一の直進案内部が形成され、第二の移動枠には第二の直進溝に挿通する第二の直進案内部が形成され、第一の直進案内部と第二の直進案内部はそれぞれ半径方向外側の幅広部と半径方向内側の幅狭部で構成され、第一の直進溝の幅広部と第一の直進案内部の幅広部が嵌合して第一の移動枠を直進案内し、第二の直進溝の幅狭部と第二の直進案内部の幅狭部が嵌合して第二の移動枠を直進案内することを特徴とする。
【発明の効果】
【００１１】
本発明に係るレンズ鏡筒によれば、金型の構成を簡素化し、金型コストを低減させることができる。
【図面の簡単な説明】
【００１２】
【図１】本発明のレンズ鏡筒の分解斜視図
【図２】沈胴状態断面図
【図３】広角撮影可能な状態の断面図
【図４】望遠撮影可能な状態の断面図
【図５】移動カム環、直進案内筒、の分解斜視図
【図６】固定筒の斜視図
【図７】１群レンズの分解斜視図
【図８】１群レンズの斜視図
【図９】絞りの斜視図
【図１０】２群レンズの分解斜視図
【図１１】２群レンズの斜視図
【図１２】３群レンズの分解斜視図
【図１３】３群レンズの斜視図
【図１４】４群レンズの斜視図
【図１５】遮光板の斜視図
【図１６】直進案内筒と絞り、２群、３群の組み立て状態を示す斜視図
【図１７】直進案内筒と絞り、２群、３群の組み立て状態を示す断面図
【図１８】図１７の部分拡大図
【図１９】図１７の部分拡大図
【図２０】直進案内筒の型構成
【図２１】駆動環の斜視図
【図２２】駆動環の内周面展開図
【図２３】駆動環と４群レンズ、遮光板の組み立て状態を示す断面図
【図２４】他の実施例の駆動環と４群レンズ、遮光板の組み立て状態を示す断面図
【図２５】本発明の撮像装置の斜視図
【発明を実施するための形態】
【００１３】
以下、本発明の実施の形態を図面に基づいて説明する。
【００１４】
図１は本発明のレンズ鏡筒１の分解斜視図である。図２は本発明のレンズ鏡筒１の沈胴状態断面図である。図３は本発明のレンズ鏡筒１の広角撮影可能状態の断面図である。図４は本発明のレンズ鏡筒１の望遠撮影可能状態の断面図である。図５は移動カム環１１０と直進案内筒１１２と直進案内板１１３とカムカバー筒１１１の分解斜視図である。図６は固定筒１０３の斜視図である。図２１は駆動環１０５の斜視図である。これらの図を用いて本発明のレンズ鏡筒１の構成を説明する。
【００１５】
撮像素子１０１が撮像素子保持枠１０２に設けられている。撮像素子保持枠１０２には、固定筒１０３とカバー筒１０４がビス１０７で固定される。固定筒１０３の外側には駆動環１０５が固定筒１０３に対して回転可能に保持される。駆動環１０５の外周には歯車１０５ａが設けられており、モータ１０６によって回転駆動される。固定筒１０３の内側には移動カム環１１０が配置される。移動カム環１１０の外周には、３本のフォロアピン１１０ａが１２０°等分に設けられており、また３本の駆動キー１１０ｂが１２０°等分に設けられている。フォロアピン１１０ａは固定筒１０３の内周に設けられたカム溝１０３ａに係合する。駆動キー１１０ｂは固定筒に設けられた貫通溝１０３ｂを挿通して、駆動環１０５の内周に設けられた光軸方向の駆動溝１０５ｂに係合する。駆動環１０５がモータ１０６によって回転すると、駆動溝１０５ｂを通じて移動カム環１１０に回転トルクが伝達し、移動カム環１１０は固定筒内周のカム溝１０３ａの軌跡に従って回転しながら光軸方向に移動する。
【００１６】
移動カム環の外周と固定筒の内周の間にはカムカバー筒１１１が設けられる。カムカバー筒１１１は移動カム環１１０にスナップフィットで固定される。
【００１７】
移動カム環１１０の内周には直進案内筒１１２が設けられる。直進案内筒１１２は光軸方向被写体側の端部で外周方向へのフランジ形状１１２ａがあり、フランジ形状１１２ａの像面側の面が移動カム環１１０の被写体側端面１１０ｃに接する。直進案内筒１１２の像面側端部には直進案内板１１３がスナップフィットで直進案内筒１１２に対して固定されている。直進案内板１１３は円盤状の平板形状で、被写体側の面が移動カム環１１０の像面側端面に接する。直進案内板１１３の外周には複数の直進キー１１３ｃが外周方向に延出して設けられている。固定筒１０３の内周面には直進溝１０３ｃが設けられており、直進案内板１１３の直進キー１１３ｃと係合して、直進案内板１１３の回転を規制する。よって駆動環１０５をモータ１０６で回転させると、移動カム環１１０が回転しながら光軸方向に移動し、直進案内板１１３と直進案内筒１１２は回転せずに移動カム環１１０と共に光軸方向に移動する。
【００１８】
移動カム環１１０には外周面に３本のカム溝１１０ｄが１２０°等分に設けられており、内周面には３本のカム溝１１０ｅと３本のカム溝１１０ｆと３本のカム溝１１０ｇがそれぞれ１２０°等分に設けられている。外周面のカム溝１１０ｄは後述する１群レンズ保持枠のフォロアピンと係合する。内周面のカム溝１１０ｅは後述する絞り保持枠１３１のフォロアピン１３１ｂと係合する。カム溝１１０ｆは２群レンズ地板１４１のフォロアピン１４１ｂと係合する。カム溝１１０ｇは３群レンズ保持枠１５１のフォロアピン１５１ｂと係合する。
【００１９】
直進案内筒１１２の被写体側フランジ部１１２ａの外周には、直進キー１１２ｂが設けられており。１群レンズ保持枠１２１の内周の直進溝１２１ａと係合し、１群レンズ保持枠１２１の回転を規制する。直進案内筒１１２の筒本体部には、第一の直進貫通溝１１２ｃと第二の直進貫通溝１１２ｄがそれぞれ１２０°等分に設けられている。第一の直進貫通溝１１２ｃは絞り保持枠１３１のフォロアピン１３１ｂの根元部が挿通し、絞り保持枠１３１の回転を規制する。また第一の直進貫通溝１１２ｃは同時に２群レンズ地板１４１のフォロアピン１４１ｂの根元部が挿通し、２群レンズ地板１４１の回転を規制する。第二の直進貫通溝１１２ｄは３群レンズ保持枠１５１のフォロアピン１５１ｂの根元部が挿通し、３群レンズ保持枠１５１の回転を規制する。これらの回転規制について詳細は後述する。
【００２０】
駆動環１０５の内周には３本のカム溝１０５ｃと３本のカム溝１０５ｄが１２０°等分に設けられている。カム溝１０５ｃは後述する４群レンズ保持枠１６１のフォロアピン１６１ａとカム係合する。カム溝１０５ｄは後述する遮光板１７１のフォロアピン１７１ａとカム係合する。
【００２１】
固定筒１０３には光軸と平行な３本の貫通溝ｄが１２０°等分に設けられている。固定筒１０３の内側には４群レンズ保持枠１５１と遮光板１６１が設けられている。４群レンズ保持枠１５１の外周にはフォロアピン１５１ａが設けられており、フォロアピン根元の直進案内部１５１ｂが固定筒１０３の貫通溝１０３ｄと係合して回転を規制される。遮光板１６１の外周にはフォロアピン１６１ａが設けられ、フォロアピン根元の直進案内部１６１ｂが固定筒の貫通溝１０３ｄと係合して回転を規制される。
【００２２】
以上の構成から、モータ１０６を駆動すると、駆動環１０５が回転し、駆動溝１０５ｂを通じて移動カム環１１０が回転しながら光軸方向に移動する。直進案内板１１３と直進案内筒１１２は、回転せずに移動カム環１１０と共に光軸方向に移動する。１群レンズ保持枠１２１、絞り保持枠１３１、２群レンズ地板１４１、３群レンズ保持枠１５１はそれぞれ、カム溝の軌跡に従って、移動カム環１１０及び直進案内筒１１２に対して光軸方向に移動する。４群レンズ保持枠１６１、遮光板１７１はそれぞれ、カム溝の軌跡に従って固定筒１０３に対して光軸方向に移動する。
【００２３】
本発明のレンズ鏡筒１は、図２に示す沈胴状態から駆動環１０３を回転させて各レンズ群を繰り出して図３に示す広角撮影可能な状態にできる。さらに駆動環１０３を回転させて、各レンズ群を光軸方向に移動して図４に示す望遠撮影可能な状態に出来る。
【００２４】
図７は１群レンズの分解斜視図である。図８は１群レンズの像面側からみた斜視図である。
【００２５】
１群レンズ保持枠１２１には、１群レンズ１２０が接着固定される。接着剤は化粧板１２２によって隠される。１群レンズ保持枠の像面側端部には内向きにフォロアピン１２１ｂが設けられる。１群レンズ保持枠１２１の内周には直進案内筒１１２の直進キー１１２ｂに係合する直進溝１２１ａが設けられている。
【００２６】
図９は絞りを像面側から見た斜視図である。
【００２７】
絞り保持枠１３１は絞り羽根（不図示）、羽根駆動リング（不図示）、絞りモータ１３２で構成される公知の絞り機構を保持する。絞り保持枠１３１の像面側には３本の脚１３１ａが光軸方向像面側に向けて突出し、脚１３１ａの先端には外周に向けてフォロアピン１３１ｂが設けられる。
【００２８】
図１０は２群レンズを像面側から見た分解斜視図である。図１１は２群レンズを像面側から見た斜視図である。
【００２９】
２群レンズ地板１４１には、２群レンズ１４０を保持する２群レンズ保持枠１４２と、２群レンズ保持枠１４２を光軸と直交する面内で移動させる光学手ぶれ補正機構と、公知のシャッター機構が保持される。２群レンズ地板１４１の像面側には３本の脚１４１ａが光軸方向像面側に向けて突出し、脚１４１ａの先端には外周に向けてフォロアピン１４１ｂが設けられる。
【００３０】
図１２は３群レンズを被写体側から見た分解斜視図である。図１３は３群レンズを被写体側から見た斜視図である。
【００３１】
３群レンズは３Ａレンズ１５０と３Ｂレンズ１５５によって構成される。３Ａレンズ１５０は３Ａレンズ保持枠１５１に固定される。３Ｂレンズ１５５は３Ｂレンズ保持枠１５６に固定される。３Ａレンズ保持枠１５１にはフォーカスモータ１５２とガイド軸１５３が固定される。ガイド軸１５３は３Ｂレンズ保持枠１５６のスリーブ１５６ａと嵌合し、３Ｂレンズ保持枠１５６を直進案内する。３Ｂレンズ保持枠１５６にはラック１５７が設けられる。ラック１５７はフォーカスモータ１５２のスクリューに螺合し、フォーカスモータ１５２の駆動によって３Ｂレンズ保持枠１５６が３Ａレンズ保持枠１５１に対して光軸方向に移動する。３Ｂレンズ保持枠１５６は合焦動作時にフォーカスモータ１５２によって光軸方向に移動し、像を撮像素子１０１の受光部に合焦させる。３Ａレンズ保持枠１５１の被写体側には３本の脚１５１ａが光軸方向被写体側に向けて突出し、脚１５１ａの先端には外周に向けてフォロアピン１５１ｂが設けられる。
【００３２】
図１４は４群レンズを被写体側から見た斜視図である。
【００３３】
４群レンズ保持枠１６１には４群レンズ１６０とマスク１６２が固定される。４群レンズ保持枠１６１の外周には半径方向外側に向けて３本のフォロアピン１６１ａが突出する。
【００３４】
図１５は遮光板１７１を被写体側から見た斜視図である。
【００３５】
遮光板１７１は４群レンズ保持枠の外側と固定筒の内側の間を塞ぐ形状で、外周には半径方向外側に向けて３本のフォロアピン１７１ａが突出する。
【００３６】
図１６は直進案内筒１１２と絞り群、２群、３群を組み合わせた状態を示す斜視図である。図１７は直進案内筒１１２の光軸と直交する平面による断面図である。図１６と図１７を用いて、直進案内筒１１２と、絞り群、２群、３群の直進案内部について説明する。
【００３７】
直進案内筒１１２の第一の貫通溝１１２ｃには絞り群のフォロア１３１ｂの根元と２群レンズ地板１４１のフォロア１４１ｂ根元が挿通する。第一の貫通溝１１２ｃは半径方向外側の幅広部１１２ｅと半径方向内側の幅狭部１１２ｆで構成される。幅広部１１２ｅと幅狭部１１２ｆはいずれも光軸と第一の貫通溝の中心を結ぶ第一の線２０１と平行な壁によって構成される。
【００３８】
絞り群のフォロア１３１ｂの根元は、幅狭部１３１ｃと幅広部１３１ｄによって構成される。幅狭部１３１ｃは第一の貫通溝の幅狭部１１２ｆよりも狭く構成され、貫通溝に対して隙間があいている。絞り群のフォロアの根元の幅広部１３１ｄは第一の貫通溝の幅広部１１２ｅと同じ幅で構成され、隙間の無い嵌合となっており、回転が規制される直進案内として働く。２群レンズ保持枠についても同様となっている。
【００３９】
絞り群に外力が働いて、フォロア１３１ｂがカム溝から離れる方向に動いても、カム係合が外れる前にフォロア根元の幅広部１３１ｄが直進案内筒１１２の貫通溝１１２ｃの幅狭部１１２ｆを構成する壁に引っ掛かり、カムからの脱落が防止される。
【００４０】
直進案内筒１１２の第二の貫通溝１１２ｄには３群レンズ保持枠１５１のフォロア根元が挿通する。第二の貫通溝１１２ｄは半径方向外側の幅広部１１２ｇと半径方向内側の幅狭部１１２ｈで構成される。幅狭部１１２ｈは光軸と第二の貫通溝１１２ｄの中心を結ぶ第二の線２０２と平行の壁によって構成される。幅広部１１２ｇを構成する壁のうち第一の貫通溝１１２ｃに近い壁１１２ｇ−１は、第一の線２０１に対して開いた角度で構成される。すなわち、第一の線２０１と第二の線２０２の成す角をΘ１として、第二の線２０２と壁１１２ｇ−１の成す角をΘ２としたとき、
式１  Θ１＜Θ２
の関係を満たす角度で構成される。
【００４１】
３群レンズ保持枠１５１のフォロアの根元は、幅狭部１５１ｃと幅広部１５１ｄによって構成される。幅狭部１５１ｃは第二の貫通溝１１２ｄの幅狭部１１２ｈと同じ幅で構成され、隙間の無い嵌合となっており、回転が規制される直進案内として働く。３群レンズ保持枠１５１のフォロアの根元の幅広部１５１ｄは、第二の貫通溝１１２ｄの幅広部１１２ｇよりも狭く、かつ第二の貫通溝１１２ｄの幅狭部１１２ｈよりも幅広に構成される。
【００４２】
３群レンズ保持枠１５１のフォロアの根元は、幅狭部１５１ｃと幅広部１５１ｄの間にさらに幅の狭い逃げ部１５１ｅが設けられている。逃げ部１５１ｅは直進案内筒１１２の第二の貫通溝１１２ｄの幅広部１１２ｇと幅狭部１１２ｈの境界に対応する位置に設けられている。
【００４３】
３群レンズ保持枠１５１に外力が働いてフォロア１５１ｂがカムから離れる方向に動いても、フォロア根元の幅広部１５１ｄが直進案内筒１１２の貫通溝１１２ｄの幅狭部１１２ｈを構成する壁に引っ掛かり、カムからの脱落が防止される。
【００４４】
次に直進案内筒１１２の製造方法について説明する。図２０は直進案内筒１１２と、直進案内筒１１２を成型する金型の割線を示す断面図である。
【００４５】
直進案内筒１１２は金型で成型可能な樹脂を材料としている。金型は被写体側に開く不図示の固定側、像面側に開く不図示の可動側、内周面を形成する内スライド駒３１１，３１２、外周面を形成する外スライド駒３２０によって構成される。内スライド駒は先に開く３方向の小駒３１１と、時間差を設けて後で開く３方向の大駒３１２で構成される。合計６方向に開く内スライド駒は６０°等分に配置される。小駒３１１は第二の貫通溝１１２ｄの幅狭部１１２ｈと平行な第二の線２０２の方向に開くように配置される。矢印３３０は内スライド駒のスライド方向を示す。
【００４６】
外スライド駒は第一の貫通溝１１２ｃと平行な第一の線２０１の方向に開く３方向１２０°等分で構成される。矢印３４０は外スライド駒の開き方向を示す。内スライド駒は直進案内筒１１２の内周面と、第二の貫通溝１１２ｄの幅狭部１１２ｈを形成する。外スライド駒は直進案内筒の外周面と、第一の貫通溝１１２ｃの幅狭部１１２ｆと幅広部１１２ｅと、第二の貫通溝１１２ｄの幅広部１１２ｇを形成する。第二の貫通溝１１２ｄの幅広部１１２ｇを構成する壁のうち第一の貫通溝に近い壁１１２ｇ−１は、図１７ａに示すように第一の線２０１に対して開いた角度（Θ１＜Θ２）で形成されているため、第一の貫通溝１１２ｃを形成する外スライド駒のスライドを阻害しない。すなわちアンダーカットを回避した形状となっている。
【００４７】
内スライド駒３１１，３１２と外スライド駒３２０の合わせ面（パーティングライン）は、第一の貫通溝１１２ｃの幅狭部１１２ｆと内周面の境界部１１２ｉに設定され、また第二の貫通溝１１２ｄの幅狭部１１２ｈと幅広部１１２ｇの境界部１１２ｊに設定される。
【００４８】
駒の合わせ面には微小なバリが発生する。バリがレンズ保持枠のフォロアピン根元部の直進案内部と干渉すると、スムーズな移動を阻害するなどの不都合を生じる。
【００４９】
図１８と図１９を用いて本発明におけるバリ対策を説明する。図１８は図１７中の第一の貫通溝付近の拡大図である。図１９は図１７中の第二の貫通溝付近の拡大図である。
【００５０】
第一の貫通溝１１２ｃの幅狭部１１２ｆと内周面の境界部１１２ｉに発生するバリ１１２ｋに対して、絞り群のフォロアの根元の幅狭部１３１ｃは逃げているため、バリ１１２ｋによる不都合は生じない。２群レンズ保持枠のフォロアの根元についても同様である。第二の貫通溝１１２ｄの幅狭部１１２ｈと幅広部１１２ｇの境界１１２ｊに発生するバリ１１２ｍに対して、３群レンズ保持枠の逃げ部１５１ｅは逃げているため、バリ１１２ｍによる不都合は生じない。
【００５１】
以上説明した通り、本発明のレンズ鏡筒１の直進案内筒の外周面及び第一の貫通溝と第二の貫通溝を形成する外スライド駒は、３方向スライドで構成される。従来の直進案内筒は貫通溝の本数分の外スライド駒が必要であったため、本発明のように第一の貫通溝と第二の貫通溝がそれぞれ３本ずつある場合は、合計６方向のスライド駒が必要であった。本発明によって金型の構成が簡素化され、金型コストの低減が可能となる。
【００５２】
また、従来の金型構成では貫通溝の幅広部と幅狭部の境界にバリは生じなかったが、本発明の金型構成では第二の貫通溝の幅広部と幅狭部の境界にバリが生じる。しかし第二の貫通溝に挿通する第二の移動枠のフォロア根元部に、バリ逃げのための逃げ部を設けているため、バリによる障害が生じる虞はない。
【００５３】
ところで、本発明のようなレンズ鏡筒および撮像装置はサイズの小型化が要求される。小型化を阻害する要因の一つに、カム筒におけるカム溝と直進溝の構成が挙げられる。
【００５４】
カム溝と直進溝を持つ筒において、カム溝と直進溝が交差する場合、カム溝を途切れさせないために、溝の深さを異ならせる設計が一般的である。すなわち、深さの浅い直進溝と深さの深いカム溝を設けて、交差点でカム溝のカム面が途切れないようにする。
【００５５】
しかしながらカム溝の深さを深くする分、筒の肉厚が増えてしまうため、レンズ鏡筒のサイズも大型化する課題が有る。
【００５６】
本発明のレンズ鏡筒および撮像装置においてこの課題を解決する構成を以下に説明する。
【００５７】
駆動環１０５について説明する。図２１は駆動環１０５の斜視図である。
【００５８】
前述の通り、駆動環１０５の内周には４群レンズ保持枠１６１のフォロアピン１６１ａが係合するカム溝１０５ｃと、それよりも被写体側に遮光板１７１のフォロアピン１７１ａが係合するカム溝１０５ｄがそれぞれ３本ずつ１２０°等分で配置される。また移動カム環１１０の駆動キー１１０ｂが係合する駆動溝１０５ｂが１２０°等分で配置される。カム溝１０５ｃおよび１０５ｄと駆動溝１０５ｂは同一（略同一）の深さで形成される。カム溝１０５ｃおよび１０５ｄと駆動溝１０５ｂは交差点を有する。
【００５９】
図２２は駆動環１０５の展開図である。
【００６０】
図２２に示す通り、カム溝は撮影領域１０５ｇと沈胴領域１０５ｅ、およびその間をつなぐリフト領域１０５ｆに分かれる。カム溝１０５ｃと駆動溝１０５ｂの交差点は、沈胴領域１０５ｅにある。駆動溝１０５ｂと係合する移動カム環１１０の駆動キー１１０ｂは、沈胴時に交差点よりも被写体側に存在し、撮影時にはさらに被写体側に移動する。
【００６１】
駆動キー１１０ｂは沈胴状態から撮影状態に移動する間も、撮影状態において変倍動作する際も、交差点を通過しない。駆動キー１１０ｂは組み立て時のみ、像面側から被写体側に向けて交差点を通過する。
【００６２】
移動カム環１１０の駆動キー１１０ｂを駆動環１０５に組み込み易くするため、交差点では、４群レンズ保持枠のカム溝１０５ｃを構成するテーパ面のうち、像面側のテーパ面が存在しない。
【００６３】
図２３は４群レンズ保持枠１６１と遮光板１７１のフォロアピンが交差点を通過する状態を光軸と平行な平面で切断した断面図である。
【００６４】
４群レンズ保持枠１６１の撮像面側には、沈胴状態で撮像素子保持枠１０２に近接する近接部１６１ｂが設けられている。撮像素子保持枠１０２にも、沈胴状態で４群レンズ保持枠１６１の近接部１６１ｂに近接する近接部１０２ｂが設けられている。互いの近接部により、４群レンズ保持枠１６１と撮像素子保持枠１０２のさらなる接近が防止される。
【００６５】
撮像装置を沈胴状態から撮影状態にする際に、４群レンズ保持枠１６１のフォロアピン１６１ａが交差点を通過する。交差点においては像面側のカム面が無いが、フォロアピン１６１ａがカム溝１０５ｃから像面側に向けて脱落しそうになっても、撮像素子保持枠１０２が４群レンズ保持枠１６１のフォロアピンの脱落を防ぐ。
【００６６】
組み立ての際には、移動カム環１１０と駆動筒１０５がそれぞれ弾性変形しながら、移動カム環１１０の駆動キー１１０ｂがカム溝１０５ｃの被写体側カム面を乗り越えて組み立てられる。
【００６７】
図２４を用いて別の実施の形態について説明する。
【００６８】
遮光板１７１の像面側に、沈胴状態で４群レンズ保持枠に近接する近接部１７１ｂが設けられている。４群レンズ保持枠１６１の被写体側にも、遮光板の近接部に近接する近接部１６１ｃが設けられている。互いの近接部により、遮光板１７１と４群レンズ保持枠１６１のさらなる接近が防止される。
【００６９】
移動カム環１１０の駆動キー１１０ｂの組み立て性をさらに向上させるため、４群レンズ保持枠１６１のフォロアピン１６１ａが係合するカム溝１０５ｃの交差点には、被写体側カム面も存在しない。そして同時に遮光板１７１のフォロアピン１７１ａが係合するカム溝１０５ｄの像面側カム面も存在しない。
【００７０】
沈胴状態から撮影状態にする際に、４群レンズ保持枠１６１のフォロアピン１６１ａが交差点を通過する。交差点においては被写体側のカム面が無いが、フォロアピン１６１ａがカム溝１０５ｃから被写体側に向けて脱落しそうになっても、遮光板１７１が４群レンズ保持枠１６１のフォロアピンの脱落を防ぐ。
【００７１】
同様に、遮光板１７１のフォロアピンが交差点を通過する際に像面側に向けて脱落しそうになっても、４群レンズ保持枠１６１が遮光板１７１のフォロアピンの脱落を防ぐ。
【００７２】
以上説明した構成により、カム溝の深さを深くすること無く、カム溝と駆動溝を交差させることができる。したがって駆動環の肉厚を厚くする必要が無く、レンズ鏡筒の小型化に寄与する。
【００７３】
図２５は、本発明のレンズ鏡筒１を有する撮像装置４００の斜視図である。
【００７４】
図２５に示されるように、本実施形態の撮像装置４００は、撮像装置本体４０１とこの本体４０１に取り付けられたレンズ鏡筒１とを備えて構成される。撮像装置４００の正面には、被写体の構図を決定するファインダ対物レンズ４０７、測光動作や測距動作を行う際の光源の補助を行う補助光手段４０２、ストロボ４０３、レンズ鏡筒１が設けられている。本体４０１の上面には、レリーズボタン４０４、ズーム切換えスイッチ４０５、電源切換えボタン４０６が設けられている。また、撮像装置本体４０１の背面には不図示の液晶表示装置を備える。本実施形態において、レンズ鏡筒１は、電源切り替えボタン４０６の操作によって沈胴状態（図４の状態）と繰り出し状態（撮影状態）との間で移動可能である。またズーム切り替えスイッチ４０５の操作によって広角撮影可能な状態と望遠撮影可能な状態をとの間で移動可能である。
【符号の説明】
【００７５】
１  レンズ鏡筒、１０３  固定筒、１０５  駆動環、１１０  移動カム環、
１１２  直進案内筒、１３１  絞り保持枠、１４１  ２群レンズ地板、
１５１  ３群レンズ保持枠、１６１  ４群レンズ保持枠、１７１  遮光板、
４００  撮像装置
【図１】
2018189862.tif 000003
【図２】
2018189862.tif 000004
【図３】
2018189862.tif 000005
【図４】
2018189862.tif 000006
【図５】
2018189862.tif 000007
【図６】
2018189862.tif 000008
【図７】
2018189862.tif 000009
【図８】
2018189862.tif 000010
【図９】
2018189862.tif 000011
【図１０】
2018189862.tif 000012
【図１１】
2018189862.tif 000013
【図１２】
2018189862.tif 000014
【図１３】
2018189862.tif 000015
【図１４】
2018189862.tif 000016
【図１５】
2018189862.tif 000017
【図１６】
2018189862.tif 000018
【図１７】
2018189862.tif 000019
【図１８】
2018189862.tif 000020
【図１９】
2018189862.tif 000021
【図２０】
2018189862.tif 000022
【図２１】
2018189862.tif 000023
【図２２】
2018189862.tif 000024
【図２３】
2018189862.tif 000025
【図２４】
2018189862.tif 000026
【図２５】
2018189862.tif 000027